(57)【要約】  本発明の一実施例によるスピーカ装置は、第１ソース装置と連結されて前記第１ソース装置から第１オーディオ信号を受信するか、外部スピーカ装置と連結されて前記外部スピーカ装置へ前記第１オーディオ信号を送信する第１無線通信機と、第２ソース装置と連結されて前記第２ソース装置から第２オーディオ信号を受信する第２無線通信機と、前記第１無線通信機および前記第２無線通信機を制御する制御機を含み、前記制御機は前記第２無線通信機と第２ソース装置の連結に対応して、前記第１無線通信機を第１ソース装置から前記第１オーディオ信号を受信する受信モードから、前記外部スピーカ装置へ前記第２オーディオ信号を送信する送信モードに切り替えるように制御することができる。
2020500476.tif 000002
【特許請求の範囲】
【請求項１】
スピーカ装置であって、
第１ソース装置と連結されて前記第１ソース装置から第１オーディオ信号を受信するか、外部スピーカ装置と連結されて前記外部スピーカ装置へ前記第１オーディオ信号を送信するように構成される第１無線通信機と、
第２ソース装置と連結されて前記第２ソース装置から第２オーディオ信号を受信するように構成される第２無線通信機と、
前記第１無線通信機および前記第２無線通信機を制御するように構成される制御機と、を含み、
前記制御機は、
前記第２無線通信機と前記第２ソース装置の連結に対応して、前記第１無線通信機を第１ソース装置から前記第１オーディオ信号を受信する受信モードから、前記外部スピーカ装置へ前記第２オーディオ信号を送信する送信モードに切り替えるように制御する、スピーカ装置。
【請求項２】
前記制御機は、
前記第２無線通信機を介して前記第２ソース装置から受信された前記第２オーディオ信号を第１無線通信機を介して前記外部スピーカ装置へ送信するように制御する、請求項１に記載のスピーカ装置。
【請求項３】
前記制御機は、
前記第１ソース装置の受信モード切り替えに対応して、前記第１無線通信機を介して前記外部スピーカ装置へ前記第２オーディオ信号を送信するように制御する、請求項２に記載のスピーカ装置。
【請求項４】
前記制御機は、
前記第２無線通信機と前記第２ソース装置の連結に対応して、前記第１無線通信機を介して前記第１ソース装置へ前記第２ソース装置との連結樹立情報を送信するように制御する、請求項１に記載のスピーカ装置。
【請求項５】
前記第２ソース装置から前記第２ソース装置との連結樹立のための情報を受信するように構成される第３無線通信機をさらに含み、
前記制御機は、
前記受信された情報に基づいて前記第２無線通信機と前記第２ソース装置の連結を制御するように構成される、請求項１に記載のスピーカ装置。
【請求項６】
前記第３無線通信機は、
ＮＦＣ通信モジュールで構成され、前記第２ソース装置がタグされることに対応して前記第２ソース装置との連結のための情報を受信するように構成される、請求項５に記載のスピーカ装置。
【請求項７】
前記制御機は、
前記第１無線通信機を介して前記第１ソース装置から連結樹立のための連結要請を受信することに対応して、前記第１無線通信機に対する前記送信モードから前記受信モードへの切り替えを制御するように構成される、請求項１に記載のスピーカ装置。
【請求項８】
前記制御機は、
前記第１無線通信機を介して前記第１ソース装置から連結樹立のための連結要請を受信することに対応して、前記第２無線通信機と前記第２ソース装置の連結解除を制御するように構成される、請求項７に記載のスピーカ装置。
【請求項９】
前記制御機は、
前記第２無線通信機が前記第２ソース装置から連結解除されることに対応して、前記第１無線通信機を介して前記第１ソース装置へ前記第２ソース装置との連結解除に関する情報送信を制御するように構成される、請求項８に記載のスピーカ装置。
【請求項１０】
スピーカ装置の制御方法であって、
第１無線通信機を介して第１ソース装置と連結する動作と、
前記第１無線通信機を介して前記第１ソース装置から第１オーディオ信号を受信する動作と、
第２無線通信機を介して第２ソース装置と連結する動作と、
前記第１無線通信機に対して、前記第１ソース装置から前記第１オーディオ信号を受信する受信モードから、外部スピーカ装置へ前記第１オーディオ信号とは異なる第２オーディオ信号を送信する送信モードへの切り替えを制御する動作と、を含む方法。
【請求項１１】
前記第２無線通信機を介して前記第２ソース装置から前記第２オーディオ信号を受信する動作と、
前記第１無線通信機を介して前記外部スピーカ装置へ前記第２オーディオ信号を送信する動作と、をさらに含む、請求項１０に記載の方法。
【請求項１２】
前記外部スピーカ装置へ第２オーディオ信号を送信する動作は、
前記第１無線通信機を介して前記第１ソース装置から前記第１ソース装置が受信モードに切り替えられたことを示す情報を受信すると、前記外部スピーカ装置へ前記第２オーディオ信号を送信する動作を含む、請求項１１に記載の方法。
【請求項１３】
前記第１無線通信機を介して前記第２無線通信機と前記第２ソース装置の連結に関する連結情報を第１ソース装置へ送信する動作をさらに含む、請求項１０に記載の方法。
【請求項１４】
第３無線通信機を介して前記第２ソース装置から前記第２ソース装置との連結樹立のための樹立情報を受信する動作をさらに含み、
前記第２ソース装置と連結する動作は、
前記受信された樹立情報に基づいて前記第２無線通信機と前記第２ソース装置を連結する動作を含む、請求項１０に記載の方法。
【請求項１５】
前記第３無線通信機は、
ＮＦＣ通信モジュールで構成され、
前記第２ソース装置から前記第２ソース装置との連結のための樹立情報を受信する動作は、
前記第２ソース装置がタグされることに対応して前記第２ソース装置との連結のための前記樹立情報を受信する動作を含む、請求項１４に記載の方法。
【発明の詳細な説明】
【技術分野】
【０００１】
例示的な実施例による装置および方法は、ソース装置の変更によるオーディオ信号を受信するために無線通信モジュールを制御するスピーカ装置およびスピーカ装置の制御方法に関する。
【背景技術】
【０００２】
最近、デジタルＴＶの高精細な画面とともにスリムデザインが大衆化することにより、物足りなくなった音質および音量の補強のための別途のスピーカシステムに対する需要が増加している。
【０００３】
スピーカシステムにおいて電子装置（すなわち、ソース装置）とスピーカ装置の連結は無線通信で連結されることができる。電子装置でデータファイルを再生したとき、データファイルに含まれたオーディオ信号は無線で連結されたスピーカ装置へ伝送される。
【０００４】
また、スピーカシステムは、例えば、音楽鑑賞または映画鑑賞などの使用目的に応じて多様なチャンネル方式が存在する。多チャンネル方式のスピーカシステムは多数のスピーカを含み、電子装置からオーディオ信号を受信して出力することができる。
【発明の概要】
【発明が解決しようとする課題】
【０００５】
例示的な実施例によるスピーカ装置はソース装置と無線で連結され、ソース装置からオーディオ信号を受信して出力することができる。スピーカ装置に無線で連結されるソース装置が切り替えられる場合、スピーカ装置はソース装置に合わせて設定を変更しなければならない。
【０００６】
ソース装置の連結条件に応じてスピーカ装置の無線通信モジュールの送受信状態が変更されなければならない場合、ユーザは無線通信モジュールの送受信状態を変更しなければならない。
【０００７】
本発明の例示的な多様な実施例は、スピーカ装置に連結されるソース装置が切り替えられたとき、スピーカ装置の送受信状態がソース装置に合わせて変更されるスピーカ装置およびスピーカ装置の制御方法を提供する。
【課題を解決するための手段】
【０００８】
本発明による例示的なスピーカ装置は、第１ソース装置と連結されて前記第１ソース装置から第１オーディオ信号を受信するか、外部スピーカ装置と連結されて前記外部スピーカ装置へ前記第１オーディオ信号を送信するように構成される第１無線通信機と、第２ソース装置と連結されて前記第２ソース装置から第２オーディオ信号を受信するように構成される第２無線通信モジュールと、前記第１無線通信機および前記第２無線通信機を制御するように構成される制御機と、を含み、前記制御機は、前記第２無線通信機と前記第２ソース装置の連結に対応して、前記第１無線通信機を第１ソース装置から前記第１オーディオ信号を受信する受信モードから、前記外部スピーカ装置へ前記第２オーディオ信号を送信する送信モードに切り替えるように制御することができる。
【０００９】
本発明によるスピーカ装置の制御方法は、第１無線通信機を介して第１ソース装置と連結する動作と、前記第１無線通信機を介して前記第１ソース装置からオーディオ信号を受信する動作と、第２無線通信機を介して第２ソース装置と連結する動作と、前記第１無線通信機に対して、前記第１ソース装置から前記第１オーディオ信号を受信する受信モードから、外部スピーカ装置へ前記第１オーディオ信号とは異なる第２オーディオ信号を送信する送信モードへの切り替えを制御する動作と、を含むことができる。
【００１０】
本発明による電子装置は、外部スピーカ装置と連結されて第１オーディオ信号を送信するように構成される無線通信機と、前記無線通信機を制御するように構成される制御機と、を含み、前記制御機は、前記無線通信機を介して外部スピーカ装置が送信モードに切り替えられたことを示す情報の受信に対応して、前記無線通信機に対して前記外部スピーカ装置へ第１オーディオ信号を送信する送信モードから、外部装置から第２オーディオ信号を受信する受信モードへの切り替えを制御するように構成されることができる。
【発明の効果】
【００１１】
本発明のスピーカ装置およびスピーカ装置の制御方法は、スピーカ装置はスピーカ装置に連結されるソース装置に応じて無線通信モジュールの送受信モードを自動的に変更することにより、ユーザが自由にソース装置を変更させることができる。
【００１２】
また、スピーカ装置は、外部電子装置の送受信モードを感知して無線通信モジュールの送受信モードを切り替えることにより、オーディオ信号を安定的に受信または送信することができる。
【００１３】
本明細書で開示される多様な実施例の他の態様、利点および著しい特徴は、添付された図面と関連して取られる次の詳細な説明により、本発明が属する技術分野において通常の知識を有する者にとって明らかになる。
【図面の簡単な説明】
【００１４】
本明細書で開示される多様な実施例の前述した態様、特徴および利点および／または他の態様、特徴および利点は、添付された図面と関連して取られる次の説明によりさらに明らかになる。
【図１】例示的な実施例によるスピーカシステムを示した図である。
【図２】例示的な実施例によるスピーカシステムの構成を示すブロック図である。
【図３】例示的な実施例による第２スピーカ装置が第１ソース装置からオーディオ信号を受信する状態を示した図である。
【図４】例示的な実施例による第２スピーカ装置が第２ソース装置からオーディオ信号を受信する状態を示した図である。
【図５】例示的な実施例による第２スピーカ装置が第１ソース装置から再びオーディオ信号を受信する状態を示した図である。
【図６】例示的な実施例による第２スピーカ装置の制御方法を示したフローチャートである。  図面にわたって、同一の参照番号は同一または類似の要素、特徴および構造を示す。
【発明を実施するための形態】
【００１５】
以下、本発明の多様な例示的な実施例が添付された図面を参照して記載される。しかしながら、これは、本発明を特定の実施形態に対して限定しようとするものではなく、本発明の例示的な実施例の多様な変更（ｍｏｄｉｆｉｃａｔｉｏｎ）、均等物（ｅｑｕｉｖａｌｅｎｔ）、および／または代替物（ａｌｔｅｒｎａｔｉｖｅ）を含むものと理解されるべきである。図面の説明と関連して、類似の構成要素に対しては類似の参照符号が使用されることができる。
【００１６】
図１は、例示的な実施例によるスピーカシステム１０を示した図である。図１を参照すれば、スピーカシステム１０は第１ソース装置１００および第２ソース装置２００、第１スピーカ装置３００および第２スピーカ装置４００を含むことができる。
【００１７】
例示的な一実施例によれば、第１ソース装置１００は第１スピーカ装置３００および第２スピーカ装置４００に無線で連結されてオーディオ信号を送信することができる。例えば、第１ソース装置１００はＴＶ、デスクトップ、ノート型ＰＣ、タブレットＰＣなど、外部装置（例：スピーカ装置）へオーディオ信号を伝送することができる装置であり得る。第１ソース装置１００は前記外部装置から受信されるか、または内部メモリに保存された前記オーディオ信号を第１スピーカ装置３００および第２スピーカ装置４００へ送信することができる。
【００１８】
例示的な一実施例によれば、第１ソース装置１００は第１スピーカ装置３００および第２スピーカ装置４００と無線で連結されることができる。例えば、第１ソース装置１００はブルートゥース（登録商標）、ＮＦＣ（ｎｅａｒ  ｆｉｅｌｄ  ｃｏｍｍｕｎｉｃａｔｉｏｎ）、Ｗｉ−Ｆｉ（ｗｉｒｅｌｅｓｓ−ｆｉｄｅｌｉｔｙ）またはＷｉ−Ｆｉ  Ｄｉｒｅｃｔ方式を用いて第１スピーカ装置３００および第２スピーカ装置４００と無線で連結されることができる。
【００１９】
例示的な一実施例によれば、第１ソース装置１００は無線通信モジュールを含む無線ドングル（ｄｏｎｇｌｅ）を介して第１スピーカ装置３００および第２スピーカ装置４００と無線で連結されることができる。無線ドングルは、例えば、第１ソース装置１００に含まれた有線通信モジュール（例：ＵＳＢモジュール）に連結されることができる。第１ソース装置１００は、前記有線通信モジュールに連結された前記無線ドングルを介して第１スピーカ装置３００および第２スピーカ装置４００へ連結されることができる。
【００２０】
例示的な一実施例によれば、第２ソース装置２００は第２スピーカ装置４００に無線で連結されてオーディオ信号を送信することができる。第２ソース装置２００は第２スピーカ装置４００を介してオーディオ信号を第１スピーカ装置３００へ送信することができる。第２ソース装置２００は、例えば、携帯電話、スマートフォン、タブレットＰＣなど、内部または外部のコンテンツを再生させることができる携帯可能な装置であり得る。第２ソース装置２００は前記再生されるコンテンツのオーディオ信号を第２スピーカ装置４００へ送信することができる。
【００２１】
例示的な一実施例によれば、第１スピーカ装置３００は第１ソース装置１００または第２スピーカ装置４００と無線で連結されてオーディオ信号を受信することができる。
【００２２】
例示的な一実施例によれば、第２スピーカ装置４００は第１ソース装置１００または第２ソース装置２００と無線で連結されてオーディオ信号を受信することができる。例示的な一実施例によれば、第２スピーカ装置４００は第１スピーカ装置３００と連結されて第１スピーカ装置３００へオーディオ信号を送信することができる。例えば、第２スピーカ装置４００は第２ソース装置２００と連結された状態で、第２ソース装置２００から受信されたオーディオ信号を第１スピーカ装置３００へ送信することができる。
【００２３】
図１に示されたように、スピーカシステム１０は複数のスピーカ（例：第１スピーカ装置３００および第２スピーカ装置４００）で構成されることができる。スピーカシステム１０はスピーカの個数に応じて２チャンネル、２．１チャンネル、４チャンネル、５．１チャンネルなどの立体音響を具現することができる。例えば、スピーカシステム１０は、第１スピーカ装置３００を介して第１チャンネルオーディオ信号（例：右側オーディオ信号）を出力し、第２スピーカ装置４００を介して第２チャンネルオーディオ信号（例：左側オーディオ信号）を出力することができる。
【００２４】
例示的な一実施例によれば、第１ソース装置１００、第２ソース装置２００、第１スピーカ装置３００および第２スピーカ装置４００はＡＰ（ａｃｃｅｓｓ  ｐｏｉｎｔ）を介して連結されるか、Ｐ２Ｐ（ｐｅｅｒ−ｔｏ−ｐｅｅｒ）方式で直接連結されることができる。第１ソース装置１００、第２ソース装置２００、第１スピーカ装置３００および第２スピーカ装置４００の間の連結は、例えば、ブルートゥース、ＮＦＣ、Ｗｉ−Ｆｉ、Ｗｉ−Ｆｉ  Ｄｉｒｅｃｔなどの通信方式を用いることができる。
【００２５】
図２は、例示的な実施例によるスピーカシステム１０の構成を示すブロック図である。図２を参照すれば、第１ソース装置１００および第２ソース装置２００のうちいずれか一つは第２スピーカ装置４００に無線で連結されることができる。
【００２６】
第１ソース装置１００はオーディオ信号処理モジュール１１０、ユーザ入力モジュール１２０、無線通信モジュール１３０および制御モジュール１４０を含むことができる。
【００２７】
オーディオ信号処理モジュール１１０はオーディオ信号をデコード（ｄｅｃｏｄｉｎｇ）することができる。例えば、第１ソース装置１００のオーディオ信号はビットストリーム（ｂｉｔｓｔｒｅａｍ）を含むことができる。オーディオ信号処理モジュール１１０は、入力されたオーディオ信号に使用されたオーディオフォーマット規格に応じて前記ビットストリームをデコードする。前記オーディオフォーマット規格は、例えば、ＤＡＢ（Ｄｉｇｉｔａｌ  Ａｕｄｉｏ  Ｂｒｏａｄｃａｓｔｉｎｇ）に使用されるＭＰＥＧ−１階層２、ＭＰＥＧ−２階層２、地上波ＤＭＢ（Ｄｉｇｉｔａｌ  Ｍｕｌｔｉｍｅｄｉａ  Ｂｒｏａｄｃａｓｔｉｎｇ）に使用されるＢＳＡＣ（Ｂｉｔ−Ｓｌｉｃｅｄ  Ａｒｉｔｈｍｅｔｉｃ  Ｃｏｄｉｎｇ）、衛星ＤＭＢに使用されるＡＡＣ（Ａｄｖａｎｃｅｄ  Ａｕｄｉｏ  Ｃｏｄｉｎｇ）、ＨＤＴＶ（Ｈｉｇｈ  Ｄｅｆｉｎｉｔｉｏｎ  Ｔｅｌｅｖｉｓｉｏｎ）放送に使用されるＡＣ−３（Ａｕｄｉｏ  Ｃｏｄｅ  Ｎｕｍｂｅｒ  ３）などであり得る。
【００２８】
ユーザ入力モジュール１２０はユーザ入力を受信することができる。例えば、ユーザ入力モジュール１２０は第１スピーカ装置３００および第２スピーカ装置４００との連結を樹立するためのユーザ入力を受信することができる。無線通信モジュール１３０は第１スピーカ装置３００および第２スピーカ装置４００と連結されてオーディオ信号を送信することができる。無線通信モジュール１３０はオーディオ信号処理モジュール１１０でデコードされたオーディオ信号を第１スピーカ装置３００および第２スピーカ装置４００へ送信することができる。例示的な一実施例によれば、無線通信モジュール１３０はＷｉ−Ｆｉモジュールを含むことができる。例えば、無線通信モジュール１３０はＷｉ−Ｆｉ  Ｄｉｒｅｃｔ通信方式を使用して第１スピーカ装置３００および第２スピーカ装置４００へ前記オーディオ信号を送信することができる。
【００２９】
例示的な一実施例によれば、無線通信モジュール１３０はオーディオ信号を送信する送信モードおよびオーディオ信号を受信する受信モードを含むことができる。前記送信モードはオーディオ信号を送信するモードを意味し、前記受信モードはオーディオ信号を受信するモードを意味する。一実施例によれば、無線通信モジュール１３０はオーディオ信号のほかに他の信号の場合、送信モードまたは受信モードに関係なく前記他の信号を受信するか、送信することができる。
【００３０】
例示的な一実施例によれば、無線通信モジュール１３０は一つの通信モジュールに外部装置へオーディオ信号を送信することができる送信モードおよび外部装置からオーディオ信号を受信することができる受信モードを含むことができる。例えば、無線通信モジュール１３０は、前記送信モードおよび前記受信モードのためのファームウェア（ｆｉｒｍｗａｒｅ）を全て保存し、設定されたモードに応じて前記ファームウェアを切り替えてオーディオ信号を送信または受信することができる。
【００３１】
制御モジュール１４０は第１ソース装置１００の全般的な動作を制御することができる。例えば、制御モジュール１４０はオーディオ信号処理モジュール１１０を制御してオーディオ信号をデコードすることができる。制御モジュール１４０はユーザ入力部１２０を制御してユーザのコマンドを受信することができる。
【００３２】
例示的な一実施例によれば、制御モジュール１４０は無線通信モジュール１３０を制御して送信モードおよび受信モードの間を切り替えることができる。例えば、制御モジュール１４０は、第２ソース装置２００と第２スピーカ装置４００の間の連結状態に応じて無線通信モジュール１３０の送信モードおよび受信モードの間を切り替えることができる。他の例を挙げれば、制御モジュール１４０は、ユーザ入力モジュール１２０を介して受信されるユーザ入力によって無線通信モジュール１３０の送受信モードを切り替えることができる。これにより、制御モジュール１４０は、無線通信モジュール１３０の送受信モードを制御して第１スピーカ装置３００および第２スピーカ装置４００へオーディオ信号を送信するか、オーディオ信号の送信を中断することができる。
【００３３】
第２ソース装置２００はオーディオ信号処理モジュール２１０、無線通信モジュール２２０および制御モジュール２３０を含むことができる。
【００３４】
オーディオ信号処理モジュール２１０は第１ソース装置１００のオーディオ信号処理モジュール１１０と類似し得る。例えば、オーディオ信号処理モジュール２１０は外部装置のみならず、第２ソース装置２００の内部に保存されたコンテンツのオーディオ信号をデコードすることができる。
【００３５】
無線通信モジュール２２０は第１無線通信モジュール２２１および第２無線通信モジュール２２３を含むことができる。
【００３６】
第１無線通信モジュール２２１は第２スピーカ装置４００と連結されて前記オーディオ信号を送信することができる。例示的な一実施例によれば、第１無線通信モジュール２２１は第１ソース装置１００の無線通信モジュール１２０と異なる通信モジュールを含むことができる。例えば、第１無線通信モジュール２２１はブルートゥース通信モジュールを含むことができる。例示的な一実施例によれば、第１無線通信モジュール２２１はオーディオ信号処理モジュール２１０でデコードされたオーディオ信号を第２スピーカ装置４００へ伝送することができる。
【００３７】
例示的な一実施例によれば、第１無線通信モジュール２２１は、第２無線通信モジュール２２３を介して第２スピーカ装置４００から受信された情報を用いて第２スピーカ装置４００と連結（例：ペアリング（ｐａｒｉｎｇ））されることができる。
【００３８】
一実施例によれば、第２無線通信モジュール２２３は第１無線通信モジュール２２１と第２スピーカ装置４００との連結樹立のための情報を送信または受信することができる。例示的な一実施例によれば、第２無線通信モジュール２２３はＮＦＣ通信モジュールを含むことができる。第２無線通信モジュール２２３は、第２ソース装置２００が第２スピーカ装置４００にタグ（ｔａｇ）されると、第２スピーカ４００と連結されることができる。第２無線通信モジュール２２３は、前記連結を介して第１無線通信モジュール２２１と第２スピーカ装置４００との連結樹立のための情報を送信または受信することができる。
【００３９】
制御モジュール２３０は第２ソース装置２００の全般的な動作を制御することができる。例えば、制御モジュール２３０はオーディオ信号処理モジュール２１０を制御してオーディオ信号をデコードすることができる。制御モジュール３４０は、無線通信モジュール２２０を制御して第２スピーカ装置４００へオーディオ信号を送信することができる。
【００４０】
第１スピーカ装置３００は無線通信モジュール３１０、オーディオ信号処理モジュール３２０および制御モジュール３３０を含むことができる。
【００４１】
無線通信モジュール３１０は、第１ソース装置１００または第２スピーカ装置４００と連結されて第１ソース装置１００または第２スピーカ装置４００からオーディオ信号を受信することができる。例えば、無線通信モジュール３１０はＷｉ−Ｆｉ通信方式を使用して第１ソース装置１００または第２スピーカ装置４００と連結されることができる。無線通信モジュール３１０は第１ソース装置１００または第２スピーカ装置４００とＰ２Ｐ方式（例：Ｗｉ−Ｆｉ  ｄｉｒｅｃｔ）で連結されることができる。
【００４２】
オーディオ信号処理モジュール３２０は第１ソース装置１００または第２スピーカ装置４００から受信されたオーディオ信号をアナログ信号に変換し、前記変換された信号を増幅することができる。例えば、オーディオ信号処理モジュール３２０はＤＡＣ（ｄｉｇｉｔａｌ−ｔｏ−ａｎａｌｏｇ  ｃｏｎｖｅｒｔｅｒ）モジュールおよびＡＭＰ（ａｍｐｌｉｆｉｅｒ）モジュールを含むことができる。前記ＤＡＣモジュールは受信されたデジタルオーディオ信号をアナログオーディオ信号に変換することができる。前記ＡＭＰモジュールは前記アナログオーディオ信号を増幅することができる。これにより、第１スピーカ装置３００は前記増幅されたオーディオ信号を出力することができる。しかし、本発明の例示的な実施例は、これに制限されず、場合によってＤＡＣまたはＡＭＰなど、一つの構成要素が省略されることもできる。
【００４３】
制御モジュール３３０は第１スピーカ装置３００の全般的な動作を制御することができる。例えば、制御モジュール３３０は、無線通信モジュール３１０を制御して第１ソース装置１００または第２スピーカ装置４００からオーディオ信号を受信することができる。制御モジュール３３０はオーディオ信号処理モジュール３２０を制御して第１ソース装置１００または第２スピーカ装置４００から受信されたオーディオ信号を出力することができる。
【００４４】
第２スピーカ装置４００は無線通信モジュール４１０、オーディオ信号処理モジュール４２０および制御モジュール４３０を含むことができる。
【００４５】
無線通信モジュール４１０は第１無線通信モジュール４１１、第２無線通信モジュール４１３および第３無線通信モジュール４１５を含むことができる。
【００４６】
第１無線通信モジュール４１１は第１ソース装置１００と連結されて第１ソース装置からオーディオ信号を受信することができる。第１無線通信モジュール４１１はＷｉ−Ｆｉモジュールを含むことができる。例えば、第１無線通信モジュール４１１はＷｉ−Ｆｉ通信方式を使用して第１ソース装置１００と連結されることができる。第１無線通信モジュール４１１は第１ソース装置１００とＰ２Ｐ方式（例：Ｗｉ−Ｆｉ  ｄｉｒｅｃｔ）で連結されることができる。
【００４７】
例示的な一実施例によれば、第１無線通信モジュール４１１は第１スピーカ装置３００と連結されて第１スピーカ装置３００へオーディオ信号を送信することができる。例えば、第１無線通信モジュール４１１は、第２無線通信モジュール４１３を介して第２ソース装置２００から受信されたオーディオ信号を第１スピーカ装置３００へ送信することができる。第１無線通信モジュール４１１はＷｉ−Ｆｉ通信方式を使用して第１スピーカ装置３００と連結されることができる。第１無線通信モジュール４１１は第１ソース装置１００とＰ２Ｐ方式（例：Ｗｉ−Ｆｉ  ｄｉｒｅｃｔ）で連結されることができる。
【００４８】
例示的な一実施例によれば、第１無線通信モジュール４１１はオーディオ信号を送信する送信モードおよびオーディオ信号を受信する受信モードを含むことができる。前記送信モードはオーディオ信号を送信する状態を意味し、前記受信モードはオーディオ信号を受信する状態を意味し、第１無線通信モジュール４１１は、前記送信モードでオーディオ信号のほかに他の信号を受信するか、前記受信モードでオーディオ信号のほかに他の信号を送信することができる。
【００４９】
例示的な一実施例によれば、第１無線通信モジュール４１１は一つの通信モジュールに外部装置へオーディオ信号を送信することができる送信モードおよび外部装置からオーディオ信号を受信することができる受信モードを含むことができる。例えば、第１無線通信モジュール４１１は、前記送信モードと前記受信モードのためのファームウェアを全て保存しており、モードに応じて前記ファームウェアを切り替えてオーディオ信号を送信または受信することができる。
【００５０】
第２無線通信モジュール４１３は第２ソース装置２００と連結されて第２ソース装置２００から前記オーディオ信号を受信することができる。例示的な一実施例によれば、第２無線通信モジュール４１３はブルートゥースモジュールを含むことができる。例えば、第２無線通信モジュール３２１ｂはブルートゥース通信方式を使用して第２ソース装置２００と連結されることができる。
第２無線通信モジュール４１３は第２ソース装置２００とＰ２Ｐ方式で連結されることができる。
【００５１】
例示的な一実施例によれば、第２無線通信モジュール４１３は、第３無線通信モジュール４１５を介して第２ソース装置２００から受信した情報を用いて第２ソース装置２００と連結（例：ペアリング）することができる。例示的な一実施例によれば、第３無線通信モジュール４１５は、第２無線通信モジュール４１３と第２ソース装置２００との連結樹立のための情報を送信または受信することができる。例示的な一実施例によれば、第３無線通信モジュール４１５はＮＦＣ通信モジュールを含むことができる。第３無線通信モジュール３２１ｃは、第２ソース装置２００が第２スピーカ装置４００にタグされると、第２ソース装置２００と連結されることができる。第３無線通信モジュール４１５は、前記連結を介して第２無線通信モジュール４１３と第２ソース装置２００との連結樹立のための情報を送信または受信することができる。
【００５２】
オーディオ信号処理モジュール４２０は第１スピーカ３００のオーディオ信号処理モジュール３２０と類似し得る。例えば、オーディオ信号処理モジュール４２０は、第１ソース装置１００または第２ソース装置２００から受信されたオーディオ信号をアナログ信号に変換し、前記変換された信号を増幅することができる。
【００５３】
制御モジュール４３０は第２スピーカ４００の全般的な動作を制御することができる。例えば、制御モジュール４３０は、無線通信モジュール４１０を制御して第１ソース装置１００または第２ソース装置２００からオーディオ信号を受信し、第１スピーカ３１０へオーディオ信号を送信することができる。制御モジュール４３０は、オーディオ信号処理モジュール４２０を制御して第１ソース装置１００または第２ソース装置２００から受信されたオーディオ信号を出力することができる。
【００５４】
例示的な一実施例によれば、制御モジュール４３０は第１無線通信モジュール４１１を制御して送受信モードを切り替えることができる。例えば、制御モジュール４３０は、第２無線通信モジュール４１３と第２ソース装置２００の間の連結状態に応じて第１無線通信モジュール４１１の送受信モードを切り替えることができる。これにより、制御モジュール４３０は、第１無線通信モジュール４１１の送受信モードを制御して第１ソース装置１００からオーディオ信号を受信するか、第１スピーカ装置３００へオーディオ信号を送信することができる。
【００５５】
例示的な一実施例によれば、制御モジュール４３０は一つ以上のプロセッサを含むことができる。例えば、前記プロセッサはＣＰＵ（ｃｅｎｔｒａｌ  ｐｒｏｃｅｓｓｉｎｇ  ｕｎｉｔ）、ＧＰＵ（ｇｒａｐｈｉｃ  ｐｒｏｃｅｓｓｉｎｇ  ｕｎｉｔ）、メモリなどを含むＳｏＣ（ｓｙｓｔｅｍ  ｏｎ  ｃｈｉｐ）として具現されることもできる。
【００５６】
図３は、例示的な実施例による第２スピーカ装置４００が第１ソース装置１００からオーディオ信号を受信する状態を示した図である。図３を参照すれば、第１ソース装置１００が第１スピーカ装置３００および第２スピーカ装置４００に連結され、第１スピーカ装置３００および第２スピーカ装置４００は第１ソース装置１００からオーディオ信号を受信することができる。
【００５７】
例示的な一実施例によれば、第１ソース装置１００の制御モジュール１４０は、無線通信モジュール１３０が第１スピーカ装置３００および第２スピーカ装置４００と連結された状態で無線通信モジュール１３０を送信モード（Ｔｘ）で動作するように制御することができる。これにより、第１ソース装置１００は、オーディオ信号を無線通信モジュール１３０を介して第１スピーカ装置３００および第２スピーカ装置４００へ送信することができる。例示的な一実施例によれば、第１スピーカ装置３００は無線通信モジュール３１０を介して第１ソース装置１００からオーディオ信号を受信することができる。第１スピーカ装置３００の無線通信モジュール３１０は受信モード（Ｒｘ）であり得る。例示的な一実施例によれば、第１スピーカ装置３００は、前記受信されたオーディオ信号をオーディオ信号処理モジュール３２０を介してアナログ信号に変更して出力することができる。
【００５８】
例示的な一実施例によれば、第２スピーカ装置４００の制御装置４３０は、第１無線通信モジュール４１１が第１ソース装置１００と連結された状態で第１無線通信モジュール４１１を受信モード（Ｒｘ）で動作するように制御することができる。これにより、第２スピーカ装置４００は、第１無線通信モジュール４１１を介して第１ソース装置１００からオーディオ信号を受信することができる。例示的な一実施例によれば、第２スピーカ装置４００は、前記受信されたオーディオ信号をオーディオ信号処理モジュール４２０を介してアナログ信号に変更して出力することができる。
【００５９】
これにより、第１スピーカ装置３００および第２スピーカ装置４００は第１ソース装置１００から受信されたオーディオ信号を出力することができる。
【００６０】
図４は、例示的な実施例による第２スピーカ装置４００が第２ソース装置２００からオーディオ信号を受信する状態を示した図である。図４を参照すれば、第２ソース装置２００が第２スピーカ装置４００と連結されることができる。第２スピーカ装置４００は、前記連結を介して第２ソース装置２００からオーディオ信号を受信し、受信されたオーディオ信号を第１スピーカ装置３００へ送信することができる。
【００６１】
例示的な一実施例によれば、第２ソース装置２００が第２スピーカ４００にタグされることができる。例えば、第２ソース装置２００のユーザは、第２ソース装置２００を第２スピーカ４００に連結するために第２ソース装置２００を第２スピーカ４００にタグすることができる。例示的な一実施例によれば、第２ソース装置２００が第２スピーカ装置４００にタグされると、第２ソース装置２００の第２無線通信モジュール２２３および第２スピーカ装置４００の第３無線通信モジュール４１５が互いに連結されて、第２ソース装置２００の第１無線通信モジュール２２１と第２スピーカ４００の第２無線通信モジュール４１３の連結樹立のための情報を送受信することができる。例示的な一実施例によれば、第２ソース装置２００の第１無線通信モジュール２２１および第２スピーカ装置４００の第２無線通信モジュール４１３は、前記送受信された情報を用いて互いに連結（または、ペアリング）されることができる。
【００６２】
例示的な一実施例によれば、第２ソース装置２００は第１無線通信モジュール２２１を介してオーディオ信号を送信することができ、第２スピーカ装置４００は第２無線通信モジュール４１３を介して前記オーディオ信号を受信することができる。第２ソース装置２００の第１無線通信モジュール２２１は送信モード（Ｔｘ）であり得るとともに、第２スピーカ装置４００の第２無線通信モジュール４１３は受信モード（Ｒｘ）であり得る。
【００６３】
例示的な一実施例によれば、第２スピーカ装置４００の制御モジュール４３０は、第２無線通信モジュール４１３が第２ソース装置２００と連結されると、第１無線通信モジュール４１１を受信モード（Ｒｘ）から送信モード（Ｔｘ）に切り替えるように制御することができる。
【００６４】
例示的な一実施例によれば、第２スピーカ装置４００が第２無線通信モジュール４１３を介して第２ソース装置２００と連結されると、第２スピーカ装置４００は、第２ソース装置２００から受信されたオーディオ信号を第１無線通信モジュール４１１を介して第１スピーカ装置３００へ送信することができる。例示的な一実施例によれば、第２スピーカ装置４００は、前記受信されたオーディオ信号をオーディオ信号処理モジュール４２０を介してアナログ信号に変更して出力することができる。例示的な一実施例によれば、第２無線通信モジュール４１３が第２ソース装置２００と連結されると、第２スピーカ装置４００の制御モジュール４３０は、第１無線通信モジュール４１１を介して第１ソース装置１００へ第２ソース装置２００との連結情報（例：第２無線通信モジュール４１３を介して第２ソース装置２００との連結が樹立されたという情報）を送信することができる。
【００６５】
例示的な一実施例によれば、第１ソース装置１００は、無線通信モジュール１３０を介して前記第２スピーカ装置４００の第１無線通信モジュール４１１が送信モード（Ｔｘ）に切り替えられたことを感知（ｄｅｔｅｃｔ）することができる。これにより、第１ソース装置１００は、無線通信モジュール１３０を送信モード（Ｔｘ）から受信モード（Ｒｘ）に切り替えることができる。
【００６６】
例示的な一実施例によれば、無線通信モジュール１３０が送信モード（Ｔｘ）から受信モード（Ｒｘ）に切り替えられると、第１ソース装置１００は、無線通信モジュール１３０を介して第１ソース装置１００が送信モード（Ｔｘ）から受信モード（Ｒｘ）に切り替えられたという情報を第２スピーカ装置４００へ送信することができる。
【００６７】
例示的な一実施例によれば、第２スピーカ装置４００の制御モジュール４３０は、第１無線通信モジュール４１１を介して第１ソース装置１００が送信モード（Ｔｘ）から受信モード（Ｒｘ）に切り替えられたという情報を無線通信モジュール１３０から受信すると、前記第１ソース装置１００が受信モード（Ｒｘ）に切り替えられたということを感知することができる。例示的な一実施例によれば、第２スピーカ装置４００の制御モジュール４３０は、第１ソース装置１００が受信モード（Ｒｘ）に切り替えられたという情報が受信されると、第２ソース装置２００から受信されたオーディオ信号を第１無線通信モジュール４１１を介して第１スピーカ装置３００へ送信することができる。例示的な一実施例によれば、第２スピーカ装置４００は前記受信されたオーディオ信号をオーディオ信号処理モジュール４２０を介してスピーカが出力可能な信号に変更して出力することができる。
【００６８】
例示的な一実施例によれば、第１スピーカ装置３００は、無線通信モジュール３１０を介して第２スピーカ装置４００からオーディオ信号を受信することができる。
例示的な一実施例によれば、第１スピーカ装置３００は、前記第２スピーカ装置４００から受信されたオーディオ信号をオーディオ信号処理モジュール３２０を介してアナログ信号に変更して出力することができる。
【００６９】
これにより、第１スピーカ装置３００および第２スピーカ装置４００は第２ソース装置２００から送信されたオーディオ信号を出力することができる。第１ソース装置１００は送信モード（Ｔｘ）から受信モード（Ｒｘ）に切り替えられることにより、第１スピーカ装置２００が安定的にオーディオ信号を受信することができる。
【００７０】
図５は、例示的な実施例による第２スピーカ装置４００が第１ソース装置１００から再びオーディオ信号を受信する状態を示した図である。図５を参照すれば、第２ソース装置２００と第２スピーカ装置４００の連結が解除され、第１スピーカ装置３００および第２スピーカ装置４００は第１ソース装置１００からオーディオ信号を受信することができる。
【００７１】
例示的な一実施例によれば、第１ソース装置１００は、ユーザ入力モジュール１２０を介して第１スピーカ装置３００および第２スピーカ装置４００と連結樹立のためのユーザ入力を受信することができる。
【００７２】
例示的な一実施例によれば、第１ソース装置１００が第１スピーカ装置３００および第２スピーカ装置４００と連結樹立のためのユーザ入力を受信すると、第１ソース装置１００の制御モジュール１４０は無線通信モジュール１３０を受信モードから送信モードに切り替えることができる。これにより、第１ソース装置１００は第１スピーカ装置３００および第２スピーカ装置２００へオーディオ信号を送信することができる。
【００７３】
例示的な一実施例によれば、第１ソース装置１００は、ユーザ入力モジュール１２０を介して第１スピーカ装置３００および第２スピーカ装置４００との連結を樹立するためのユーザ入力が受信されると、第１スピーカ装置３００および第２スピーカ装置４００との連結を樹立するための連結要請（または、連結要請情報）を第１スピーカ装置３００および第２スピーカ装置４００へ送信することができる。
【００７４】
例示的な一実施例によれば、第２スピーカ装置４００が第１ソース装置１００から第１無線通信モジュール４１１を介して第２スピーカ装置４００との連結を樹立するための連結要請（または、連結要請情報）を受信すると、第２スピーカ装置４００は第１無線通信モジュール４１１を送信モード（Ｔｘ）から受信モード（Ｒｘ）に切り替えることができる。例示的な一実施例によれば、第２スピーカ装置４００は第１無線通信モジュール４１１を介して第１ソース装置１００から前記オーディオ信号を受信することができる。これにより、第２スピーカ装置４００は、前記受信されたオーディオ信号をオーディオ信号処理モジュール４２０を介してアナログまたはスピーカ出力に適した信号に変更して出力することができる。
【００７５】
例示的な一実施例によれば、第２ソース装置２００は第２スピーカ装置４００との連結が解除されることができる。例えば、第２スピーカ装置４００が第１ソース装置１００から第１無線通信モジュール４１１を介して連結要請（または、連結要請情報）を受信すると、第２スピーカ装置４００は第２スピーカ装置４００との連結を解除することができる。第１ソース装置１００は、例えば、ユーザ入力モジュール１２０を介して第１スピーカ装置３００および第２スピーカ装置４００との連結を樹立するためのユーザ入力が受信されると、前記連結要請（または、連結要請情報）を第２スピーカ装置４００へ送信することができる。他の例を挙げれば、第２ソース装置２００の第１無線通信モジュール２３１または第２スピーカ装置４００の第２無線通信モジュール４１３が非活性化されると、第２ソース装置２００は第２スピーカ装置４００との連結が解除されることができる。また他の例を挙げれば、第２ソース装置２００と第２スピーカ装置４００が互いに通信可能な範囲を外れると、第２ソース装置２００は第２スピーカ装置４００との連結が解除されることができる。
【００７６】
例示的な一実施例によれば、第２スピーカ装置４００の制御モジュール４３０は、第２無線通信モジュール４１３が第２ソース装置２００との連結が解除されると、第１無線通信モジュール４１１を送信モード（Ｔｘ）から受信モード（Ｒｘ）に切り替えるように制御することができる。
【００７７】
例示的な一実施例によれば、第２スピーカ装置４００は、第２無線通信モジュール４１３が第２ソース装置２００との連結が解除されると、第１ソース装置１００へ第２ソース装置２００との連結解除情報（または、第２スピーカ装置４００が受信モードに切り替えられたという情報）を送信することができる。
【００７８】
例示的な一実施例によれば、第１ソース装置１００は、無線通信モジュール１３０を介して前記第２ソース装置２００との連結解除情報が受信されると、第２スピーカ装置４００の第１無線通信モジュール４１１が送信モード（Ｔｘ）から受信モード（Ｒｘ）に切り替えられたことを感知することができる。例示的な一実施例によれば、第１ソース装置１００の制御モジュール１３０は前記連結解除情報が受信されると、無線通信モジュール１３０を受信モード（Ｒｘ）から送信モード（Ｔｘ）に切り替えるように制御することができる。これにより、第１ソース装置１００は、無線通信モジュール１３０を介して第１スピーカ装置３００および第２スピーカ装置４００へオーディオ信号を送信することができる。
前述の構成によって、第１ソース装置１００、第１スピーカ装置３００および第２スピーカ装置４００は、図３の第１ソース装置１００、第１スピーカ装置３００および第２スピーカ装置４００と類似に連結されることができる。
【００７９】
本発明の例示的な多様な実施例によれば、第２スピーカ装置４００は、第２スピーカ装置４００に連結されるソース装置１００、２００によって無線通信モジュール４１０の送信モードおよび受信モードの間を自動的に切り替えることにより、ユーザが自由にソース装置１００、２００を変更させることができる。
【００８０】
また、第２スピーカ装置４００は、外部電子装置の送受信モードを感知して第１無線通信モジュール４１１の送受信モードを切り替えることにより、オーディオ信号を安定的に受信または送信することができる。
【００８１】
図６は、本発明の例示的な多様な実施例による第２スピーカ装置の制御方法を示したフローチャートである。図６に示されたフローチャートは、前述の第１スピーカ装置３００および第２スピーカ装置４００で処理される動作で構成されることができる。したがって、以下で省略された内容としても図１〜図５を参照して第１スピーカ装置３００および第２スピーカ装置４００に関して記述された内容は、図６に示されたフローチャートにも適用されることができる。
【００８２】
例示的な一実施例によれば、６１０動作において、第２スピーカ装置４００は第１無線通信モジュール４１１を介して第１ソース装置１００と連結されることができる。第２スピーカ装置４００の第１無線通信モジュール４１１は第１ソース装置１００の無線通信モジュール１３０と連結されることができる。
【００８３】
例示的な一実施例によれば、６２０動作において、第２スピーカ装置４００は第１無線通信モジュール４１１を介して第１ソース装置１００からオーディオ信号を受信することができる。
【００８４】
例示的な一実施例によれば、６３０動作において、第２スピーカ装置４００は第２無線通信モジュール４１３を第２ソース装置２００と連結することができる。第２スピーカ装置４００の第２無線通信モジュール４１３は、第２ソース装置２００の第１無線通信モジュール２３１と連結されることができる。第２スピーカ装置４００は第２無線通信モジュール４１３を介して第２ソース装置２００からオーディオ信号を受信することができる。
【００８５】
例示的な一実施例によれば、６４０動作において、第２スピーカ装置４００は第１無線通信モジュール４１１を受信モードから送信モードに切り替えることができる。第２スピーカ装置４００は、第１無線通信モジュール４１１を介して第１スピーカ装置３００へ第２ソース装置２００から受信されたオーディオ信号を送信することができる。
【００８６】
例示的な一実施例によれば、６５０動作において、第２スピーカ装置４００は第１無線通信モジュール４１１を介して第１スピーカ装置３００と連結されることができる。第２スピーカ装置４００の第１無線通信モジュール４１１は第１スピーカ装置３００の無線通信モジュール３１０と連結されることができる。
【００８７】
例示的な一実施例によれば、６６０動作において、第２スピーカ装置４００は第１無線通信モジュール４１１を介して第１スピーカ装置３００へオーディオ信号を送信することができる。
【００８８】
例示的な一実施例によれば、６７０動作において、第２スピーカ装置４００の第２無線通信モジュール４１３と第２ソース装置２００の連結が解除されることができる。第２スピーカ装置４００の第２無線通信モジュール４１３と第２ソース装置２００の第１無線通信モジュール２３１の連結が解除されることができる。
【００８９】
例示的な一実施例によれば、６８０動作において、第２スピーカ装置４００は第１無線通信モジュール４１１を送信モードから受信モードに切り替えることができる。第２スピーカ装置４００は第１無線通信モジュール４１１を介して第１ソース装置１００からオーディオ信号を受信することができる。
【００９０】
図２〜図５のブロック図に示された少なくとも一つの構成、要素、モジュールまたはユニットは、例示的な実施例によって前述したそれぞれの機能を実行することができるハードウェア、ソフトウェアおよび／またはファームウェアの構造として具現されることができる。例えば、前記構成、要素、モジュールまたはユニットのうちいずれか一つはメモリ、プロセッサ、論理回路、ルックアップテーブルなどのような直接回路構造を用いることができ、一つ以上のマイクロプロセッサまたは他の制御装置の制御を通じてそれぞれの機能を実行することができる。また、前記構成、要素、モジュールまたはユニットのうち少なくとも一つは、指定された論理機能を行うために一つ以上のマイクロプロセッサまたは他の制御装置により実行可能な一つ以上のコマンド語を含むモジュール、プログラムまたはコードの一部として特別に具現されることができる。また、前記構成、要素、モジュールまたはユニットのうち少なくとも一つは、中央処理装置（ＣＰＵ）、マイクロプロセッサなどのようなプロセッサをさらに含むか、前記プロセッサにより実行されることができる。前記構成、要素、モジュールまたはユニットのうち少なくとも二つは、前記少なくとも二つの構成、要素、モジュールまたはユニットの全ての動作または機能を行う一つの単一構成、要素、モジュールまたはユニットで結合されることができる。また、前記構成、要素、モジュールまたはユニットのうち少なくとも一つの、少なくとも一部の機能は、他の構成、要素、モジュールまたはユニットにより実行されることができる。図２〜図５のブロック図にバス（ｂｕｓ）が示されてはいないが、前記構成、要素、モジュールまたはユニット間の通信はバスを介して行われることができる。前述した例示的な実施例の機能的側面は一つ以上のプロセッサにより実行されるアルゴリズムとして具現されることができる。前述した例示的な実施例の機能的側面は一つ以上のプロセッサで実行されるアルゴリズムとして具現されることができる。また、ブロック図またはプロセッシング動作で示した前記構成、要素、モジュールまたはユニットは、信号処理、データ処理などのような電子装置の構成要素に対する制御のために技術分野の関連技術を用いることができる。また、前述した動作または実施例は例示的なものであり、本発明の概念に対する範囲および思想を制限しない。本開示において、公知された電子部品、制御システム、ソフトウェアおよび他の機能的側面に対する説明は、説明の簡潔性のために省略されることができる。また、図面において、構成要素間の連結ラインまたは部材（ｍｅｍｂｅｒ）は機能的、物理的および／または電気的連結に代替されるか、他の機能的、物理的および／または電気的連結とともに用いられることができる。「必須的」または「重要な」のような用語を使用せずに説明された要素は、発明の概念を構成するのに必ずしも必要なものではない。すなわち、本発明の概念に対する範囲は、例示的な実施例に制限されず、添付された特許請求の範囲およびその均等物により定義されるべきである。例示的な実施例が図面を参照して図示および説明されたが、本発明が属する技術分野において通常の知識を有する者は、請求されたクレームおよび均等物により定義される本発明の思想および範囲を逸脱せず、形態および詳細事項が多様に変化されることができることを理解すべきである。
【図１】
2020500476.tif 000003
【図２】
2020500476.tif 000004
【図３】
2020500476.tif 000005
【図４】
2020500476.tif 000006
【図５】
2020500476.tif 000007
【図６】
2020500476.tif 000008
【国際調査報告】
2020500476.tif 000009
2020500476.tif 000010